(57)【要約】【課題】  物流施設等の建物躯体への外壁パネルの取付施工において、足場の設置が不要で、足場に起因する工事の遅延などを生じさせない下地一体型の外壁パネルユニットを組み付ける作業に用いる地組架台、およびこの地組架台を用いた外壁パネルの施工方法を提供する。【解決手段】  上下方向に並ぶ複数枚の外壁パネルを、その下地となる複数本の胴縁２３に、地上等で組み付けて下地一体型外壁パネルユニットとするための地組架台１である。自立する地組架台本体２と、この地組架台本体２にそれぞれ取付けられて、外壁パネルユニットのユニット化前の胴縁２３の下端および上部を位置決め状態で保持する複数の下端固定治具３と上側固定治具４とを備える。下端固定治具３と上側固定治具４は、複数本の胴縁２３を外壁パネルユニットにおける胴縁２３の配置関係で、かつ外壁パネルを胴縁２３に取付け可能な状態に保持する。【選択図】      図５
2016094786.tif 000002
【特許請求の範囲】
【請求項１】
建物躯体への取付状態で上下方向に並ぶ複数枚の外壁パネルを、前記建物躯体への取付け用の下地となり、前記外壁パネルの横幅方向に並んでそれぞれ上下方向に延びる複数本の胴縁に、前記建物躯体の外壁パネル取付け箇所とは別の場所で組み付けて下地一体型の外壁パネルユニットとする作業に用いる地組架台であって、
自立する地組架台本体と、
この地組架台本体にそれぞれ取付けられ、前記外壁パネルユニットのユニット化前の前記複数本の各胴縁を、ユニット化後の配置関係でかつ立ち姿勢として、その下端および上部で位置決め状態に保持する複数の下端固定治具および上側固定治具とを備える、
ことを特徴とする外壁パネルの地組架台。
【請求項２】
請求項１に記載の外壁パネルの地組架台において、前記地組架台本体に、互いに下側および上側に位置する水平な下側治具取付桟および上側治具取付桟を取付け、これら下側治具取付桟および上側治具取付桟に前記各下端固定治具および上側固定治具を取付けた外壁パネルの地組架台。
【請求項３】
請求項１または請求項２に記載の外壁パネルの地組架台において、前記胴縁が断面Ｃ字状またはパイプ状であって、前記下端固定治具が前記胴縁内の下端に嵌まり込みかつ前記胴縁を載せる形状であり、前記上側固定治具が、前記胴縁の複数の方向の外面を拘束する複数の拘束部を有し、一部の拘束部が、開き状態で前記胴縁が前記上側固定治具から離間可能なように開閉自在である外壁パネルの地組架台。
【請求項４】
建物躯体への取付状態で上下方向に並ぶ複数枚の外壁パネルを、前記外壁パネルの横幅方向に並びそれぞれ上下方向に延びる複数本の下地である胴縁を介して建物躯体に取付ける外壁パネルの施工方法であって、
前記建物躯体の外壁パネル取付け箇所とは別の場所に設置された地組架台上で前記複数枚の外壁パネルを前記複数本の胴縁に組み付けて立ち姿勢の下地一体型外壁パネルユニットとするユニット化過程と、
前記下地一体型外壁パネルユニットを前記地組架台から揚重装置で吊り上げて前記建物躯体の前記外壁パネル取付け箇所へ運搬し前記胴縁を前記建物躯体に固定する外壁パネルユニット設置過程とでなり、
前記ユニット化過程は、前記複数本の胴縁を立ち姿勢で前記地組架台に保持させる胴縁保持過程と、
保持された前記複数本の胴縁に前記複数枚の外壁パネルを取付ける外壁パネル取付け過程とを含む、
外壁パネルの施工方法。
【発明の詳細な説明】
【技術分野】
【０００１】
この発明は、物流施設等の鉄骨系建物等における建物躯体に取付けられる複数枚の外壁パネルを、地上等で組み付けて下地一体型の外壁パネルユニットとする作業に用いる外壁パネルの地組架台、およびこの地組架台を用いた外壁パネルの施工方法に関する。
【背景技術】
【０００２】
物流施設、コンビニエンスストア等の建物の外壁において、金属サンドイッチパネル等の横長の外壁パネルを上下に複数枚並べて構築するものがある。このような外壁を施工するのに、従来は、建物躯体に下地となる胴縁を先行して取付け、この胴縁に前記複数枚の外壁パネルを外側からビス留めして取付けていた。ファスナを介して外壁パネルを建物躯体に取付ける場合もある。
【０００３】
外壁パネルは１枚ずつ揚重機器を使用して所定の高さまで持ち上げる。外壁パネルを胴縁やファスナに取付ける作業は、地上から直接に作業できる高さよりも高い位置となるため、建物躯体の外周における外壁パネルの取付け面側に足場を組み立て、その足場上で行う。外壁パネルの取付け後は、外壁パネル間の目地部をシーリングする作業を建物躯体の外側から行う。目地部の処理は、足場に代わり、高所作業車またはゴンドラで行う場合もある。
【先行技術文献】
【特許文献】
【０００４】
【特許文献１】特許第５０５９５６７号公報
【特許文献２】特開２００４−３４６６０１号公報
【特許文献３】特開平０１−１８２４６６号公報
【特許文献４】実開平０１−０８５３７９号公報
【特許文献５】特許第４７０９３２１号公報
【特許文献６】特開２０１２−０５７３７０号公報
【特許文献７】特開平０９−０９６０２５号公報
【発明の概要】
【発明が解決しようとする課題】
【０００５】
上記した従来の施工方法では、足場が必要であり、外壁パネルの荷揚げ、胴縁への外壁パネルのビス留め、目地部へのシーリングを建物躯体の外側から行う必要がある。また、外壁パネルの取付け施工の間、足場を解体できないことから、例えば外構工事など足場に影響する工事が滞留するなどの問題がある。
【０００６】
この発明の目的は、建物躯体への外壁パネルの取付け施工において、下地となる複数本の胴縁に複数枚の外壁パネルを地上等で組付けて外壁パネルユニットとする作業が容易に行え、高所で個々の外壁パネルを取付ける作業が不要となり、これにより足場の設置が不要となり、足場に起因する工事の遅延などを生じさせない外壁パネルの地組架台、およびこの地組架台を用いた外壁パネルの施工方法を提供することである。
【課題を解決するための手段】
【０００７】
この発明の外壁パネルの地組架台は、建物躯体への取付け状態で上下方向に並ぶ複数枚の外壁パネルを、前記建物躯体への取付け用の下地となり、前記外壁パネルの横幅方向に並んでそれぞれ上下方向に延びる複数本の胴縁に、前記建物躯体の外壁パネル取付け箇所とは別の場所で組み付けて下地一体型の外壁パネルユニットとする作業に用いる地組架台であって、
自立する地組架台本体と、
この地組架台本体にそれぞれ取付けられ、前記外壁パネルユニットのユニット化前の前記複数本の各胴縁を、ユニット化後の配置関係でかつ立ち姿勢として、その下端および上部で位置決め状態に保持する複数の下端固定治具および上側固定治具とを備える
ことを特徴とする。
なお、下端固定治具、上側固定治具、および地組架台本体などの各地組架台構成体は、下端固定治具および上側固定治具に胴縁が保持された状態で、この胴縁への外壁パネルの取り付けを阻害しない形状とする。
【０００８】
この構成の地組架台によると、組付け後の外壁パネルユニットにおける胴縁の間隔で複数本の胴縁を保持できるため、胴縁に複数の外壁パネルを取付けた下地一体型の外壁パネルユニットを容易に地組することができる。また、各胴縁は立ち姿勢で保持するため、立ち姿勢で外壁パネルユニットが組み上がることになる。
建物躯体へはこのように組上がった下地一体型の外壁パネルユニットを吊り上げ、その胴縁を、建物躯体に設けられたファスナ等に取付ける。この取付け作業は、建物の内側から、スラブや梁上等で行え、また個々の外壁パネルを外側から胴縁にビス止めする作業が不要になる。そのため、建物躯体への外壁パネルの取付け施工において、足場の設置が不要で、足場に起因する工事の遅延などを生じさせることがない。外壁パネル間の縦目地等の目地処理の作業は、その目地構造によっては、外壁パネルユニットの施工後に屋外から行うことが必要な場合があるが、目地処理だけであれば、簡単で処理時間も短いため、高所作業車を用いることで、足場が不要となる。
【０００９】
この発明において、前記地組架台本体に、互いに下側および上側に位置する水平な下側治具取付桟および上側治具取付桟を取付け、これら下側治具取付桟および上側治具取付桟に前記各下端固定治具および上側固定治具を取付けても良い。
下側治具取付桟および上側治具取付桟を設けて各下端固定治具および上側固定治具を取付けると、これらの治具の設置が簡素な構造で行える。
【００１０】
この発明において、前記胴縁が断面Ｃ字状またはパイプ状であって、前記下端固定治具が、前記胴縁内の下端に嵌まり込みかつ前記胴縁を載せる形状であり、前記上側固定治具が、前記胴縁の複数の方向の外面を拘束する複数の拘束部を有し、一部の拘束部が、開き状態で前記胴縁が前記上側固定治具から離間可能なように開閉自在であっても良い。
下端固定治具が上記のように胴縁内の下端に嵌まり込みかつ前記胴縁を載せる形状であると、胴縁の下端の位置決め作業が差し込むだけで簡単に行える。組上がった外壁パネルユニットを吊り上げるときに、下端固定治具に対しては外壁パネルユニットを持ち上げると簡単に抜けるが、上側固定治具から胴縁を抜くことは困難である。しかし、上側固定治具が上記のように開閉可能であると、これを開くことで容易に胴縁を吊り上げられる。
【００１１】
この発明の外壁パネルの施工方法は、建物躯体への取付け状態で上下方向に並ぶ複数枚の外壁パネルを、前記外壁パネルの横幅方向に並びそれぞれ上下方向に延びる複数本の下地である胴縁を介して建物躯体に取付ける外壁パネルの施工方法であって、
前記建物躯体の外壁パネル取付け箇所とは別の場所に設置された地組架台上で前記複数枚の外壁パネルを前記複数本の胴縁に組み付けて立ち姿勢の下地一体型外壁パネルユニットとするユニット化過程と、
前記下地一体型外壁パネルユニットを前記地組架台から揚重装置で吊り上げて前記建物躯体の前記外壁パネル取付け箇所へ運搬し前記胴縁を前記建物躯体に固定する外壁パネルユニット設置過程とでなり、
前記ユニット化過程は、前記複数本の胴縁を立ち姿勢で前記地組架台に保持させる胴縁保持過程と、
保持された前記複数本の胴縁に前記複数枚の外壁パネルを取付ける外壁パネル取付け過程とを含む。
【００１２】
この施工方法によると、下地一体型の外壁パネルユニットを地組みし、この外壁パネルユニットの胴縁を建物躯体に取付けるため、その取付け作業が建物の内側から、スラブや梁上等で行え、また個々の外壁パネルを外側から胴縁にビス止めする作業が不要になる。そのため足場の設置が不要で、足場に起因する工事の遅延などを生じさせることがない。
【発明の効果】
【００１３】
この発明の外壁パネルの地組架台は、建物躯体への取付け状態で上下方向に並ぶ複数枚の外壁パネルを、前記建物躯体への取付け用の下地となり、前記外壁パネルの横幅方向に並んでそれぞれ上下方向に延びる複数本の胴縁に、前記建物躯体の外壁パネル取付箇所とは別の場所で組み付けて下地一体型の外壁パネルユニットとする作業に用いる地組架台であって、自立する地組架台本体と、この地組架台本体にそれぞれ取付けられ、前記外壁パネルユニットのユニット化前の前記複数本の各胴縁を、ユニット化後の配置関係でかつ立ち姿勢として、その下端および上部で位置決め状態に保持する複数の下端固定治具および上側固定治具とを備えるため、建物躯体への外壁パネルの取付け施工において、下地となる複数本の胴縁に複数枚の外壁パネルを地上等で組付けて外壁パネルユニットとする作業が容易に行え、高所で個々の外壁パネルを取付る作業が不要となり、これにより足場の設置が不要となり、足場に起因する工事の遅延などを生じさせない。
【００１４】
この発明の外壁パネルの施工方法は、建物躯体への取付け状態で上下方向に並ぶ複数枚の外壁パネルを、前記外壁パネルの横幅方向に並びそれぞれ上下方向に延びる複数本の下地である胴縁を介して建物躯体に取付ける外壁パネルの施工方法であって、前記建物躯体の外壁パネル取付け箇所とは別の場所に設置された地組架台上で前記複数枚の外壁パネルを前記複数本の胴縁に組み付けて立ち姿勢の下地一体型外壁パネルユニットとするユニット化過程と、前記下地一体型外壁パネルユニットを前記地組架台から揚重装置で吊り上げて前記建物躯体の前記外壁パネル取付け箇所へ運搬し前記胴縁を前記建物躯体に固定する外壁パネルユニット設置過程とでなり、前記ユニット化過程は、前記複数本の胴縁を立ち姿勢で前記地組架台に保持させる胴縁保持過程と、保持された前記複数本の胴縁に前記複数枚の外壁パネルを取付ける外壁パネル取付過程とを含むようにしたため、建物躯体への外壁パネルの取付け施工において、足場の設置が不要で、足場に起因する工事の遅延などを生じさせることがない。
【図面の簡単な説明】
【００１５】
【図１】この発明の一実施形態にかかる外壁パネルの地組架台の主要部である地組架台本体の部分破断正面図である。
【図２】同地組架台本体の部分破断平面図である。
【図３】同地組架台本体の部分破断左側面図である。
【図４】図２のＩＶ−ＩＶ矢視断面である。
【図５】同地組架台に胴縁を保持させた状態を示す部分省略正面図である。
【図６】同地組架台に外壁パネルユニットを組み付けた状態を示す右側面図である。
【図７】（Ａ）は同地組架台における下端固定治具の平面図、（Ｂ）は同正面図、（Ｃ）は同右側面図、（Ｄ）は同下端固定治具による胴縁の保持状態を示す概略平面図である。
【図８】（Ａ）は同地組架台における上側固定治具の平面図、（Ｂ）は同正面図、（Ｃ）は同右側面図、（Ｄ）は同上側固定治具による胴縁の保持状態を示す概略平面図である。
【図９】地組架台本体への下側治具取付桟および上側治具取付桟の取付構造を示す側面図である。
【図１０】地組架台で組み付けられた下地一体型外壁パネルユニットの斜視図である。
【図１１】外壁パネルの断面図である。
【図１２】上下に隣合う外壁パネルの境界部分の断面図である。
【図１３】外壁パネルユニットを建物躯体に取付ける作業の説明図である。
【図１４】建物の外壁付近を示す部分断面図である。
【図１５】（Ａ）は地組架台における下端固定治具の他の例の平面図、（Ｂ）は同正面図、（Ｃ）は同右側面図、（Ｄ）は同下端固定治具による胴縁の保持状態を示す概略平面図である。
【図１６】（Ａ）は地組架台における上側固定治具の他の例の平面図、（Ｂ）は同正面図、（Ｃ）は同右側面図、（Ｄ）は同上側固定治具による胴縁の保持状態を示す概略平面図である。
【発明を実施するための形態】
【００１６】
この発明の一実施形態を図面と共に説明する。図５は、この実施形態にかかる外壁パネルの地組架台の部分省略正面図を示す。この外壁パネルの地組架台１は、図１３、図１４のように建物躯体２６への取付け状態で上下方向に並ぶ複数枚の外壁パネル２２を、前記建物躯体２６への取付け用の棒状の下地材となり、外壁パネル２２の横幅方向に並んでそれぞれ上下方向に延びる複数本の胴縁２３に、前記建物躯体２６の外壁パネル取付け箇所とは別の場所、例えば地上で組み付けて図１０のような下地一体型の外壁パネルユニット２１とする作業に用いるものである。
【００１７】
この地組架台１は、図１〜図４に示すように自立する地組架台本体２と、図５に示す複数の下端固定治具３および上側固定治具４とを備える。図１、図２、および図３は、前記地組架台本体２の部分破断正面図、部分破断平面図および部分破断左側面図を示し、図４は、図２のＩＶ−ＩＶ矢視断面図を示す。
【００１８】
図１において、前記地組架台本体２は、地組架台１の主要部となる架構であって、図２に平面図で示すように地盤５上に所定間隔を隔てて互いに平行に配置された両側２本の長い横桁６および中央の短い横桁７と、これら横桁６，７の上に横桁６，７と直交する方向に延びて横架された前後一対の縦桁８，８と、これら縦桁８上の前記横桁６，７との各交差位置からそれぞれ垂直に立ち上げられた複数本の支柱９とを備える。横桁６，７はアンカーなどの固定具（図示せず）で地盤５に固定される。左右に隣合う支柱９，９間は、図１のように上下２段の横桟１０によって互いに連結され、前後に隣合う支柱９，９間は、図３，図４のように上下２段の横桟１１によって互いに連結され、これにより地組架台本体２の剛性が確保されている。前記横桁６，７、縦桁８、支柱９、および横桟１０，１１は、Ｈ形鋼などの鋼材からなる。地盤５の表面は、地組架台１で組み付けられる外壁パネルユニット２１の組付精度向上のために、地均しをするか、あるいはコンクリートなどで均しておき、水平性を保っておくのが望ましい。横桁６，７は、外壁パネル２２に働く風応力などを考慮して長めに設計することで、安全度を向上させるのが望ましい。
【００１９】
この地組架台本体２には、図５のように複数の下端固定治具３および上側固定具４が、互いに共通の垂直面に位置するようにそれぞれ取付けられる。ここでは、図２における前方（同図の下方）に位置して左右に並ぶ支柱９間の垂直面に、図５のように下端固定治具３および上側固定具４が取付けられる。これらの下端固定治具３および上側固定具４は、前記外壁パネルユニット２１のユニット化前の複数本の胴縁２３の下端および上部をそれぞれ位置決め状態で保持する治具であり、これらの胴縁２３を外壁パネルユニット２１における胴縁２３の間隔で、かつ外壁パネル２２の胴縁２３への取付けを阻害しない状態に保持する。また、前記支柱９の上部には、図３、図６のように、外壁パネル２２を吊り上げるホイスト等のパネル揚重装置２４が設置される。
【００２０】
地組架台本体２の下端固定治具３および上側固定具４が配置される前記垂直面には、図５のように互いに下側および上側に位置する水平な下側治具取付桟１２および上側治具取付桟１３が取付けられ、これら下側治具取付桟１２および上側治具取付桟１３に前記各下端固定治具３および上側固定治具４が取付けられる。ここでは、これら下側治具取付桟１２および上側治具取付桟１３が溝形鋼からなるが、この他に例えばアングル材を用いても良い。
【００２１】
前記胴縁２３としては、断面Ｃ字状のリップ溝形鋼が用いられ、その開口側が胴縁２３の並び方向つまり外壁パネル２２（図１０）の横幅方向に向くように配置される。
図７は前記下端固定治具３の具体的構成を示している。この下端固定治具３は、胴縁２３内の下端に嵌まり込み、かつ胴縁２３を載せる形状とされている。具体的には、下端固定治具３は、前記下側治具取付桟１２の上面にボルト１４で固定される胴縁載置板部３ａ上に、胴縁２３内の下端が嵌まり込む嵌合突部３ｂを設けて構成される。嵌合突部３ｂは、中央に配置した厚板部材を左右一対の薄板部材で挟み付け溶接により一体化して構成され、その幅寸法が上方に向けて狭まるように形成されている。これにより、リップ溝形鋼からなる胴縁２３内の下端に前記嵌合突部３ｂが容易に嵌まり込む。嵌まり込んだ胴縁２３の下端面は前記胴縁載置板部３ａ上に当接する。
【００２２】
図７（Ｄ）は、リップ溝形鋼からなる胴縁２３内の下端に前記下端固定治具３の嵌合突部３ｂが嵌まり込んだ状態を概略平面図で示している。下側治具取付桟１２における前記下端固定治具３の取付け位置の前面下部には、前記外壁パネルユニット２１の最下端の外壁パネル２２の下端面に当接して、その外壁パネル２２の高さ位置を規制する外壁パネル受け金具１５が設けられている。この外壁パネル受け金具１５はアングル材などで構成される。
【００２３】
図８は前記上側固定治具４の具体的構成を示している。この上側固定治具４は、胴縁２３の複数の方向の外面を拘束する複数（ここでは２つ）の拘束部４ａ，４ｂを有する。具体的には、前記上側治具取付桟１３の上面に固定されたアングル材などからなる基板４ｃ上に、リップ溝形鋼からなる胴縁２３の開口側の外面を拘束する第１の拘束部４ａと、前記胴縁２３のウェブ部側の外面を拘束する第２の拘束部４ｂとが、互いに平行に固定されている。第１の拘束部４ａには、胴縁２３の開口２３ａに対向する面に、前記開口２３ａに嵌まり込むフラットバー等の嵌合板部４ａａが設けられており、これにより胴縁２３の前後方向の位置規制が図られる。第２の拘束部４ｂは、前記基板４ｃ上に固定される固定板部４ｂａと、この固定板部４ｂａの先端にヒンジ接続されて、上下に開閉自在とされた可動板部４ｂｂとを有し、この可動板部４ｂｂが上側に９０°以上起立して開いた状態で、胴縁２３が上側固定治具４から胴縁２３の並び方向に離間可能となるようにされている。図８（Ｄ）には、この上側固定治具４にリップ溝形鋼からなる胴縁２３が保持された状態を概略平面図で示している。
【００２４】
下端固定治具３および上側固定具４が取付けられる下側治具取付桟１２および上側治具取付桟１３は、図９に示すように、アングル材１６を介して前記地組架台本体２の支柱９に取付けられる。具体的には、アングル材１６の一方のフランジ部１６ａがボルト１９で前記支柱９に固定され、アングル材１６の他方のフランジ部１６ｂの上に下側治具取付桟１２および上側治具取付桟１３がボルト１８で固定される。支柱９に固定されるフランジ部１６ａには上下方向に延びる長穴状のボルト挿通孔（図示せず）が設けられ、これにより下側治具取付桟１２および上側治具取付桟１３の高さ調整が可能とされている。また、前記他方のフランジ部１６ｂに接する下側治具取付桟１２および上側治具取付桟１３の下面部には、地組架台１の前後方向に延びる長穴状のボルト挿通孔（図示せず）が設けられ、これにより下側治具取付桟１２および上側治具取付桟１３の前後方向の位置調整が可能とされている。
【００２５】
次に、前記地組架台１を用いた外壁パネルの施工方法について説明する。
この施工方法は、図１３、図１４のように建物躯体２６への取付け状態で上下方向に並ぶ複数枚の外壁パネル２２を、外壁パネル２２の横幅方向に並びそれぞれ上下方向に延びる複数本の下地である胴縁２３を介して建物躯体２６に取付ける施工方法であって、以下のユニット化過程と、外壁パネルユニット設置過程とでなる。
【００２６】
前記ユニット化過程は、建物躯体２６の外壁パネル取付け箇所とは別の場所、例えば地上に図５，図６のように設置された前記地組架台１上で前記複数枚の外壁パネル２２（図６）を前記複数本の胴縁２３に組み付けて垂直姿勢の下地一体型外壁パネルユニット２１とする過程である。この過程は、複数本の胴縁２３を立ち姿勢で前記地組架台１に保持させる前段の胴縁保持過程と、保持された前記複数本の胴縁２３に複数枚の外壁パネル２２を取付ける後段の外壁パネル取付け過程とを有する。前記胴縁保持過程では、図５のように地組架台本体２に互いに共通の垂直面に位置するようにそれぞれ取付けられた複数の下端固定治具３および上側固定治具４に、複数本の胴縁２３の下端および上部をそれぞれ位置決め状態で保持させる。これにより、複数本の胴縁２３は、外壁パネルユニット２１における胴縁２３の配置関係で、かつ立ち姿勢で保持される。
【００２７】
この後の前記外壁パネル取付け過程では、高所作業車と前記地組架台１に取付けられたパネル揚重装置２４を用いて、地組架台１に保持された前記複数本の胴縁２３に、複数枚の外壁パネル２２を上下方向に並べてビス留めすることで、図１０に示す下地一体型の外壁パネルユニット２１とする。胴縁２３への外壁パネル２２の組付には、例えばドリル付きタッピングビスが用いられる。外壁パネル２２として、ここでは図１１に示すように、ロックウール等の不燃断熱材２７を鋼板２８，２９で挟み込んだ金属サンドイッチパネルが用いられる。図１２には、上下に隣合う外壁パネル２２，２２の境界部分を断面図で示している。
【００２８】
前記外壁パネル設置過程では、前記下地一体型の外壁パネルユニット２１をクレーン等の揚重装置２５を用いて作業者４０が補助しながら地組架台１から吊り上げて、図１３のように建物躯体２６の外壁パネル取付け箇所へ運搬し、外壁パネルユニット２１の胴縁２３を建物躯体２６に固定する。この固定は、例えば図１４に示すように、建物躯体２６のスラブ３１の端部や耐風梁３２に設けられたファスナ３３に、建物内側からボルト等で胴縁２３を取付けることで行う。なお、胴縁２３には、外壁パネルユニット２１の組み立て前の素材の状態で、例えばナット（図示せず）を溶接しておく。上下に並ぶ外壁パネルユニット２１同士は、連結板３４等で胴縁２３を連結する。これらの作業は、スラブ３１上等から行える。
【００２９】
地組架台１から外壁パネルユニット２１を吊り上げるとき、胴縁２３の下端は、下端固定治具３の嵌合突部３ｂ（図７）から引き抜かれることで、下端固定治具３による保持が解かれる。また、上側固定治具４では、その第２の拘束部４ｂ（図８）の可動板部４ｂｂが地組架台本体２側へ開いた状態とされ、胴縁２３がその並び方向にスライド可能とされる。これにより、外壁パネルユニット２１の吊り上げ時に、胴縁２３の上部を上側固定治具４の嵌合板部４ａａから離間させることができ、上側固定治具４による胴縁２３の保持が解かれる。
【００３０】
このように、上記構成の地組架台１を用いた外壁パネルの取付け施工によると、地組過程において、組付け後の外壁パネルユニット２１における胴縁２３の間隔で複数本の胴縁２３を保持できるため、胴縁２３に複数の外壁パネル２２を取付けた下地一体型の外壁パネルユニット２１を容易に地組することができる。また、各胴縁２３は立ち姿勢で保持するため、立ち姿勢で外壁パネルユニット２１が組み上がることになる。
【００３１】
建物躯体２６へはこのように組上がった下地一体型の外壁パネルユニット２１を吊り上げ、その胴縁２３を、建物躯体２６に設けられたファスナ３３等に取付けることになる。この取付け作業は、建物の内側から、スラブ３１や梁上等で行え、また個々の外壁パネル２２を外側から胴縁にビス止めする作業が不要になる。そのため、建物躯体２６への外壁パネル２２の取付け施工において、足場の設置が不要となる。このため、躯体工事終了後は足場の早期解体が見込め、足場費用の削減が期待できる。また、早期の足場撤去により、これまで外部足場の撤去時期に影響していた工事（例えば外構工事など）の早期着手ができることで、全体工期の短縮が期待できる。また、従来、高所で作業を行っていた外壁パネルのビス留めなども、地組架台１で作業できることから、作業効率の向上が見込め、人員コストの削減も可能となる。
【００３２】
なお、外壁パネル２２間の縦目地等の目地処理の作業は、目地の構造によっては、外壁パネルユニット２１の施工後に屋外から行うことが必要な場合があるが、目地処理だけであれば、簡単で処理時間も短いため、高所作業車またはゴンドラ（いずれも図示せず）を用いることで、足場が不要となる。
【００３３】
図１５および図１６は、前記下端固定治具３および上側固定治具４の他の構成例を示す。この構成例は、前記胴縁２３が角形パイプからなる場合に対応するものである。この場合の下端固定治具３では、図１５（Ａ）〜（Ｃ）に平面図、正面図および側面図で示すように、その嵌合突部３ｂが、前後方向に延びる垂直の縦板部と、この縦板部に直交して左右に延びる前後２段の横板部とを溶接して一体化されており、その縦板部および横板部の各端部が胴縁２３の下端内の４面に当接することで、角形パイプからなる胴縁２３の下端内に前記嵌合突部３ｂが嵌合できるようにされている。図１５（Ｄ）は、その嵌合状態を概略平面図で示している。その他の構成は、図７に示した構成例の場合と同様である。
【００３４】
また、この場合の上側固定治具４では、図１６（Ａ）〜（Ｃ）に平面図、正面図および側面図で示すように、第１の拘束部４ａが角形パイプからなる胴縁２３の１つの側面に対向し、その対向面の一部に前記胴縁２３の前面に係合可能な嵌合板部４ａａが設けられている。これにより、胴縁２３は前後方向への移動が拘束される。第２の拘束部４ｂは図８の構成例の場合と同様であり、この第２の拘束部４ｂと前記第１の拘束部４ａとで胴縁２３の並び方向への移動が拘束される。図１６（Ｄ）は、その保持状態を概略平面図で示している。その他の構成は、図８に示した構成例の場合と同様である。
【００３５】
なお、上記実施形態の地組架台１では、地組架台本体２の片面に下端固定治具３および上側固定治具４を取付けて、地組架台１の片面側で外壁パネルユニット２１を組み付ける構成例を示したが、これに限らず地組架台本体２の前後両面にそれぞれ複数の下端固定治具３および上側固定治具４を取付けて、その両面で同時に２つの外壁パネルユニット２１を組付けできるようにしても良い。
【符号の説明】
【００３６】
１…地組架台
２…地組架台本体
３…下端固定治具
３ａ…胴縁載置板部
３ｂ…嵌合突部
４…上側固定治具
４ａ，４ｂ…拘束部
４ｂｂ…可動板部
１２…下側治具取付桟
１３…上側治具取付桟
２１…外壁パネルユニット
２２…外壁パネル
２３…胴縁
【図１】
2016094786.tif 000003
【図２】
2016094786.tif 000004
【図３】
2016094786.tif 000005
【図４】
2016094786.tif 000006
【図５】
2016094786.tif 000007
【図６】
2016094786.tif 000008
【図７】
2016094786.tif 000009
【図８】
2016094786.tif 000010
【図９】
2016094786.tif 000011
【図１０】
2016094786.tif 000012
【図１１】
2016094786.tif 000013
【図１２】
2016094786.tif 000014
【図１３】
2016094786.tif 000015
【図１４】
2016094786.tif 000016
【図１５】
2016094786.tif 000017
【図１６】
2016094786.tif 000018